(57)【要約】【課題】ヘッドボックスを対向する壁面間に容易に固定可能としたヘッドボックス固定装置を提供する。【解決手段】ヘッドボックスの両端部に第一及び第二の固定装置をそれぞれ設け、第一及び第二の固定装置から対向する壁面に向かってシャフトを突出して、ヘッドボックスを壁面間に固定するヘッドボックス固定装置において、第二の固定装置には、シャフト２０の軸方向に直交する方向にスライド操作して、シャフト２０の突出長さを調整するスペーサー２１を備えた。【選択図】図６
0003164826.tif 000002
【実用新案登録請求の範囲】
【請求項１】
ヘッドボックスの両端部に第一及び第二の固定装置をそれぞれ設け、前記第一及び第二の固定装置から対向する壁面に向かってシャフトを突出して、前記ヘッドボックスを壁面間に固定するヘッドボックス固定装置において、
前記第二の固定装置には、前記シャフトの軸方向に直交する方向にスライド操作して、該シャフトの突出長さを調整するスペーサーを備えたことを特徴とする日射遮蔽装置のヘッドボックス固定装置。
【請求項２】
前記第二の固定装置は、
前記ヘッドボックスの端部に取着された操作装置のケースに出没可能に支持された調節シャフトと、
前記調節シャフトに設けられた挟着部と前記ケースとの間に挟まれて、前記調節シャフトの突出長さを調整するスペーサーと
を備え、
前記第一の固定装置は、
付勢手段の付勢力に基づいて壁面に向かって圧接される突っ張りシャフトを備えたことを特徴とする請求項１記載の日射遮蔽装置のヘッドボックス固定装置。
【請求項３】
前記スペーサーには、前記調節シャフトの突出長さを多段階に調整する調整手段を備えたことを特徴とする請求項２記載の日射遮蔽装置のヘッドボックス固定装置。
【請求項４】
前記調整手段は、
前記ケースと前記スペーサーに設けられ、前記スペーサーを上下方向に移動可能に支持する案内部と、
前記スペーサーに設けられ、前記スペーサーの移動にともなって前記調節シャフトの突出長さを調整する調整部と
を備えたことを特徴とする請求項３記載の日射遮蔽装置のヘッドボックス固定装置。
【請求項５】
前記案内部には、
前記スペーサーを段階的に保持する保持手段を備えたことを特徴とする請求項４記載の日射遮蔽装置のヘッドボックス固定装置。
【考案の詳細な説明】
【技術分野】
【０００１】
この考案は、横型ブラインド、たくし上げカーテンあるいはプリーツカーテン等のヘッドボックスを対向する壁面間に固定する固定装置に関するものである。
【背景技術】
【０００２】
従来、浴室に横型ブラインドを設置する場合には、ヘッドボックスを支持する取付ブラケットを壁面にネジで固定することはできないため、ヘッドボックスを対向する壁面間に固定する固定装置が実用化されている。
【０００３】
特許文献１には、ヘッドボックスの端部に移動軸を出没可能に設け、ダイヤルの回動操作によりヘッドボックス端部からの移動軸の突出長さを調整してヘッドボックスを壁面間に仮保持し、さらに操作レバーの回動操作により移動軸を壁面に圧接して、ヘッドボックスを壁面間に固定する固定装置が開示されている。
【先行技術文献】
【特許文献】
【０００４】
【特許文献１】特開２００１−２０７７５４
【考案の概要】
【考案が解決しようとする課題】
【０００５】
特許文献１に開示される固定装置では、ヘッドボックスの径が増大すると、移動軸の突出長さを調整するためのダイヤルを回動操作し難くなる。つまり、ヘッドボックスの径に対しダイヤルの径が小さくなると、ヘッドボックスと壁面との間隔が狭いので、指先でのダイヤルの回転操作が困難となる。
【０００６】
この考案の目的は、ヘッドボックスを対向する壁面間に容易に固定可能としたヘッドボックス固定装置を提供することにある。
【課題を解決するための手段】
【０００７】
請求項１では、ヘッドボックスの両端部に第一及び第二の固定装置をそれぞれ設け、前記第一及び第二の固定装置から対向する壁面に向かってシャフトを突出して、前記ヘッドボックスを壁面間に固定するヘッドボックス固定装置において、前記第二の固定装置には、前記シャフトの軸方向に直交する方向にスライド操作して、前記シャフトの突出長さを調整するスペーサーを備えた。
【０００８】
請求項２では、前記第二の固定装置は、前記ヘッドボックスの端部に取着された操作装置のケースに出没可能に支持された調節シャフトと、前記調節シャフトに設けられた挟着部と前記ケースとの間に挟まれて、前記調節シャフトの突出長さを調整するスペーサーとを備え、前記第一の固定装置は、付勢手段の付勢力に基づいて壁面に向かって圧接される突っ張りシャフトを備えた。
【０００９】
請求項３では、前記スペーサーには、前記調節シャフトの突出長さを多段階に調整する調整手段を備えた。
請求項４では、前記調整手段は、前記ケースと前記スペーサーに設けられ、前記スペーサーを上下方向に移動可能に支持する案内部と、前記スペーサーに設けられ、前記スペーサーの移動にともなって前記調節シャフトの突出長さを調整する調整部とを備えた。
【００１０】
請求項５では、前記案内部には、前記スペーサーを段階的に保持する保持手段を備えた。
【考案の効果】
【００１１】
本考案によれば、ヘッドボックスを対向する壁面間に容易に固定可能としたヘッドボックス固定装置を提供することができる。
【図面の簡単な説明】
【００１２】
【図１】壁面間に固定される横型ブラインドを示す正面図である。
【図２】壁面間に固定される横型ブラインドを示す側面図である。
【図３】壁面間に固定される横型ブラインドを示す平面図である。
【図４】第一の固定装置を示す平面図である。
【図５】第一の固定装置を示す正面図である。
【図６】第二の固定装置を示す分解斜視図である。
【図７】第二の固定装置を示す断面図である。
【図８】第二の固定装置の動作を示す正面図である。
【図９】第二の固定装置の動作を示す正面図である。
【図１０】第二の固定装置の動作を示す正面図である。
【考案を実施するための形態】
【００１３】
以下、この考案を具体化した一実施形態を図面に従って説明する。図１〜図３に示す横型ブラインドは、ヘッドボックス１からラダーコード２を介して多数段のスラット３が吊下支持され、そのラダーコード２の下端はボトムレール４に取着されている。
【００１４】
前記ラダーコード２の上端は、ヘッドボックス１内に配設されるラダーコード支持装置５に取着される。ラダーコード支持装置５にはヘッドボックス１に回転可能に支持された駆動軸６が挿通され、その駆動軸６の端部がヘッドボックス１一端に取着される操作装置７の出力軸に嵌合されている。そして、操作装置７から吊下支持されるボールチェーン８の操作により駆動軸６を回転させると、ラダーコード支持装置５及びラダーコード２を介して各スラット３が同位相で回動される。
【００１５】
前記各スラット３には、前記ラダーコード２による支持位置近傍で昇降コード９が挿通され、その昇降コード９の下端にボトムレール４が吊下支持されている。昇降コード９の上端部は、前記ヘッドボックス１内に回転可能に支持される巻取軸１０に巻着されている。
【００１６】
前記巻取軸１０には前記駆動軸６が相対回転不能に挿通されている。そして、駆動軸６により巻取軸１０が昇降コード巻取り方向に回転されると、昇降コード９が巻取軸１０に巻き取られて、ボトムレール４及びスラット３が引き上げられる。
【００１７】
また、巻取軸１０が昇降コード巻き戻し方向に回転されると、昇降コード９が巻取軸１０から巻き戻されて、ボトムレール４及びスラット３が下降する。
前記ヘッドボックス１の両端には第一及び第二の固定装置１１ａ，１１ｂが取着され、ヘッドボックス１は第一及び第二の固定装置１１ａ，１１ｂを介して対向する壁面１２間に支持されている。
【００１８】
次に、前記第一及び第二の固定装置１１ａ，１１ｂの具体的構成を説明する。前記ヘッドボックス１の左端部に取着される第一の固定装置１１ａはほぼ公知の構成であり、図４及び図５に示すように、ヘッドボックス１の端部に嵌合されるキャップ１３には第一の突っ張りシャフト１４が軸方向、すなわちヘッドボックス１に対し出没可能に支持されている。
【００１９】
そして、第一の突っ張りシャフト１４に回転可能に支持された調整ダイヤル１５を正逆方向に回転操作すると、第一の突っ張りシャフト１４がヘッドボックス１に対し図５に示す矢印Ａ，Ｂ方向に出没するようになっている。
【００２０】
前記キャップ１３には、前記調整ダイヤル１５とほぼ同様な径の筒状部１３ａが形成され、その筒状部１３ａの先端部に調整ダイヤル１５が配設されている。従って、調整ダイヤル１５の外周面近傍に充分な空間が確保されて、指先で調整ダイヤル１５を容易に回転操作できるようになっている。
【００２１】
前記第一の突っ張りシャフト１４には第二の突っ張りシャフト１６が軸方向に移動可能に支持されている。そして、第一の突っ張りシャフト１４に回動可能に支持された操作レバー１７を図４に示す矢印Ｃ方向に回転させると、第一の突っ張りシャフト１４を支点としたコイルスプリング１８の付勢力により、第二の突っ張りシャフト１６が矢印Ａ方向に付勢される。
【００２２】
前記固定装置１１ｂは、図６に示すように、前記操作装置７のケース１９に取着される調節シャフト２０と、調節シャフト２０の突出長さを調節するスペーサー２１とで構成される。
【００２３】
前記調節シャフト２０は、基板部２２の一方の側面中央部に俵型の環状突部２３が形成され、その環状突部２３のほぼ上半分はさらに先端側へ延設されて嵌挿軸部２４が形成されている。
【００２４】
前記ケース１９の側面には、前記嵌挿軸部２４の断面形状に対応した形状の挿通孔２５が形成されている。そして、嵌挿軸部２４が挿通孔２５に挿通されて、調節シャフト２０がケース１９に対し前記ヘッドボックス１の長手方向にのみスライド可能に支持されている。
【００２５】
また、前記嵌挿軸部２４の先端部両側には楔状の係止突部２４ａが形成され、この係止突部２４ａが挿通孔２５を貫通すると、係止突部２４ａが挿通孔２５の周縁に係合して、嵌挿軸部２４が挿通孔２５から容易には外れないようになっている。
【００２６】
ケース１９の前記挿通孔２５の下方には、前記スペーサー２１を上下方向に移動可能に保持する一対の案内溝２６が形成され、その案内溝２６の間には上下方向に４段の凹凸部２７が形成されている。
【００２７】
前記スペーサー２１の背面には、前記案内溝２６に挿通される一対の係止片２８が形成されている。そして、係止片２８が案内溝２６に係合してスペーサー２１がケース１９に上下動可能に支持される。
【００２８】
また、図７に示すように、前記スペーサー２１には前記係止片２８の間に弾性片２９が形成されている。この弾性片２９には前記凹凸部２７の凹部に弾性的に係合する山形の凸部３０が形成され、その凸部３０が凹凸部２７に係合してスペーサー２１がケース１９に保持される。
【００２９】
また、凹凸部２７に対する凸部３０の係合位置を選択することにより、スペーサー２１をケース１９に対し、上下方向に４段階に位置調節可能となっている。
前記スペーサー２１の前面には、前記ケース１９の側面に対し高さの異なる３段の第一〜第三の調整部３１ａ〜３１ｃが形成されている。この第一〜第三の調整部３１ａ〜３１ｃは、最上部の第一の調整部３１ａから最下部の第三の調整部３１ｃに向かってその高さ（厚さ）が順次高く（厚く）なるように形成されている。
【００３０】
前記スペーサー２１の前面下部には、下方に向かって高さが高くなる指掛け３２が形成されている。
そして、図７に鎖線で示すように、スペーサー２１を最も下方に位置させると、スペーサー２１の下端がケース１９の下縁より下方へ露出している。この状態では、スペーサー２１による調整操作が未処理であることがわかる。
【００３１】
次いで、スペーサー２１を凹凸部２７の一段上に移動させると、最も高さの低い第一の調整部３１ａが前記調節シャフト２０の環状突部２３に対向する。また、スペーサー２１をさらに一段上に移動させると、第二の調整部３１ｂが環状突部２３に対向し、スペーサー２１を最上段に移動させると、高さが最も高い第三の調整部３１ｃが環状突部２３に対向するようになっている。
【００３２】
前記ケース１９の側面には、前記第二の固定装置１１ｂを室内側からの視界から遮るためのカバー片３３が形成されている。
また、図１に示すように、前記ヘッドボックス１の左端部には筒状のカバー部材３６が同ヘッドボックス１に対しスライド可能に支持され、前記第一の固定装置１１ａを覆って室内側からの視界から遮ることができるようになっている。
【００３３】
前記ヘッドボックス１を取り付ける壁面１２には、軸受け部３４が両面テープ等で貼着され、ヘッドボックス１は前記第一及び第二の固定装置１１ａ，１１ｂで軸受け部３４間に固定される。
【００３４】
次に、上記のような第一及び第二の固定装置１１ａ，１１ｂでヘッドボックス１を壁面１２間に固定するための操作を説明する。
ヘッドボックス１を軸受け部３４間に保持した状態で調整ダイヤル１５及び調節シャフト２０の操作により、スラット３の端部と壁面１２との隙間がほぼ等しくなるように調整して、ヘッドボックス１を軸受け部３４間に仮保持する。
【００３５】
このとき、スラット３の両側において、スラット３の端部と壁面１２との間隔がほぼ等しくなるように第一の突っ張りシャフト１４及び調節シャフト２０の突出長さを調整する。図８に示すように、スペーサー２１を下から２段目に位置させれば、スペーサー２１の第一の調整部３１ａがケース１９と調節シャフト２０の環状突部２３との間に挟まれる状態となり、調節シャフト２０のケース１９からの突出長さは最も短い。
【００３６】
図９に示すように、スペーサー２１を１段上に移動させると、スペーサー２１の第二の調整部３１ｂがケース１９と調節シャフト２０の環状突部２３との間に挟まれる状態となり、調節シャフト２０のケース１９からの突出長さが長くなる。
【００３７】
さらに、図１０に示すように、スペーサー２１を最上段に移動させると、スペーサー２１の第三の調整部３１ｃがケース１９と調節シャフト２０の環状突部２３との間に挟まれる状態となり、調節シャフト２０のケース１９からの突出長さが最長となる。
【００３８】
このようにして調節シャフト２０のケース１９からの突出長さが最適となるように調節する。
次いで、操作レバー１７を図４に示す矢印Ｃ方向に回動操作すると、コイルスプリング１８の付勢力により第二の突っ張りシャフト１６が軸受け部３４に圧接され、その反作用で調節シャフト２０の基板部２２が軸受け部３４に圧接される。この結果、ヘッドボックス１が壁面１２間に保持される。
【００３９】
上記のように構成されたヘッドボックス固定装置では、次に示す作用効果を得ることができる。
（１）壁面１２間にヘッドボックス１を固定することができる。
（２）第一の固定装置１１ａの調整ダイヤル１５と、第二の固定装置１１ｂのスペーサー２１の操作により、スラット３の両側において、スラット３の端部と壁面１２との間隔がほぼ等しくなるように、ヘッドボックス１を固定することができる。
（３）スペーサー２１を上下動させることにより、調節シャフト２０のケース１９からの突出長さを調節することができる。
（４）スペーサー２１を上方へ押し上げることにより、調節シャフト２０の突出長さが順次長くなる方向に調整することができる。従って、スペーサー２１が最も下方に位置する状態、すなわち調節シャフト２０の突出長さが最も短い状態を初期値としてスペーサー２１を上方へ押し上げて調節シャフト２０の突出長さを調整すれば、壁面１２とケース１９の間隔が小さくても、調節シャフト２０の突出長さを容易に調整することができる。
（５）ケース１９の凹凸部２７と、スペーサー２１の弾性片２９に設けた凸部３０との係合により、スペーサー２１を上下方向に４段階に移動操作可能であり、且つ保持することができる。
【００４０】
上記実施形態は、以下の態様で実施してもよい。
・スペーサー２１を上下方向にさらに多段階に位置調節して、調節シャフト２０の突出長さをさらに細かく調整できるようにしてもよい。
【符号の説明】
【００４１】
１…ヘッドボックス、７…操作装置、１１ａ…第一の固定装置、１１ｂ…第二の固定装置、１２…壁面、１４，１６…突っ張りシャフト、１８…付勢手段（コイルスプリング）、１９…ケース、２０…調節シャフト、２１…スペーサー、２３…挟着部（環状突部）、２６案内部（案内溝）、２７…保持手段（凹凸部）、２９…保持手段（弾性片）、３０…保持手段（凸部）、３１ａ〜３１ｃ…調整手段（調整部）、３４…軸受け部。
【図１】
0003164826.tif 000003
【図２】
0003164826.tif 000004
【図３】
0003164826.tif 000005
【図４】
0003164826.tif 000006
【図５】
0003164826.tif 000007
【図６】
0003164826.tif 000008
【図７】
0003164826.tif 000009
【図８】
0003164826.tif 000010
【図９】
0003164826.tif 000011
【図１０】
0003164826.tif 000012